(57)【特許請求の範囲】
【請求項１】
支持基材の表面に、超微細凹凸からなるホログラム層を形成し、
該ホログラム層の上に、前記超微細凹凸の凹部内に入り込まない粒径の反射粒を含んでホログラム層に光が真直ぐ到達可能な保護層を形成したことを特徴とするホログラム。
【請求項２】
前記保護層は、ホログラム層に光が真直ぐ到達可能な超微細空孔を有すると共に超微細空孔から外れた層内に前記反射粒を含んだ多孔保護層であることを特徴とする請求項１に記載のホログラム。
【請求項３】
前記保護層は、反射粒としてアルミニューム粒を含んだアルミニューム印刷により形成されていることを特徴とする請求項１に記載のホログラム。
【請求項４】
前記保護層は、極細グラデーション印刷により形成されていることを特徴とする請求項１から３のいずれかに記載のホログラム。
【請求項５】
前記保護層は、反射粒としてアルミニューム粒を含んだインクを使用して網状印刷により形成されていることを特徴とする請求項１から３のいずれかに記載のホログラム。
【請求項６】
前記ホログラム層を形成した支持基材の裏面側にＩＣタグを配置し、ホログラム層の上に形成した保護層の反射粒により前記ＩＣタグを隠蔽したことを特徴とする請求項１から５のいずれかに記載のホログラム。
【請求項７】
支持基材に、溶剤を含まない紫外線硬化樹脂を塗布して塗布膜を形成する紫外線硬化樹脂塗布工程と、
前記塗布膜を形成した支持基材と、紫外線透過性を有してホログラム基体を構成するエンドレス状マスターフィルムとを圧着させてホログラム基体の超微細凹凸を塗布膜に転写する圧着工程と、
当該マスターフィルムに支持基材を付着した状態で、マスターフィルムを通して紫外線を照射して支持基材表面の塗布膜を硬化させる樹脂硬化工程と、
前記支持基材から前記マスターフィルムを剥離する剥離工程と、
剥離した支持基材の表面に形成された超微細凹凸からなるホログラム層上に、前記超微細凹凸の凹部内に入り込まない粒径の反射粒を含んでホログラム層に光が真直ぐ到達可能な保護層を形成する保護層形成工程と、
を含むことを特徴とするホログラムの製造方法。
【発明の詳細な説明】
【技術分野】
【０００１】
本発明は、立体的な美観を呈したり虹色に光ったりするホログラム、およびそのホログラムの製造方法に関する。
【背景技術】
【０００２】
周知のように、ホログラムの基本は対象物に物体光と参照光という二種類のレーザー光を同時に当て、このときの光の位置のズレによって生じる干渉縞を利用し、これを特殊なフィルムやプラスチック板などの上に記録したものである。このホログラムは、偽造防止のために用いられる他、独特の美観を呈することからパッケージ、包装紙、ポスターなどの広い範囲に装飾用として利用されている。そして、近年は、紫外線硬化樹脂とホログラム基材に帯状フィルムを用いることによって安価に製造できる技術が開発され、手軽な装飾形態としてその用途がますます拡大している（特許文献１、特許文献２）。
【特許文献１】特開平５−２３２８５３号公報
【特許文献２】特開平８−３６３５２号公報
【発明の開示】
【発明が解決しようとする課題】
【０００３】
しかしながら、このような透明ホログラムにおいては、紫外線硬化樹脂の表面に転写した超微細凹凸に手の汗や油脂、手垢などの汚れが付着すると、凹凸が油脂等の汚れで埋まって輝きがなくなってホログラフィー効果が発揮できなくなってしまう欠点があった。この欠点を補うために、超微細凹凸に金属を蒸着する方法もあるが、これでは処理装置と作業が大掛かりになってしまい、パッケージや包装紙などの消費材などに使用することは現実的ではない。
【０００４】
そこで、本発明は、構成が簡単で、手の汗や油脂などの汚れが付着しても、ホログラフィーの輝きが容易には消えることのないホログラム、及び、その製造方法を提供しようとするものである。
【課題を解決するための手段】
【０００５】
本発明は、上記に鑑み提案されたもので、請求項１に記載のものは、支持基材の表面に、超微細凹凸からなるホログラム層を形成し、
該ホログラム層の上に、前記超微細凹凸の凹部内に入り込まない粒径の反射粒を含んでホログラム層に光が真直ぐ到達可能な保護層を形成したことを特徴とするホログラムである。
【０００６】
請求項２に記載のものは、前記保護層は、ホログラム層に光が真直ぐ到達可能な超微細空孔を有すると共に超微細空孔から外れた層内に前記反射粒を含んだ多孔保護層であることを特徴とする請求項１に記載のホログラムである。
【０００７】
請求項３に記載のものは、前記保護層が、反射粒としてアルミニューム粒を含んだアルミニューム印刷により形成されていることを特徴とする請求項１に記載のホログラムである。
【０００８】
請求項４に記載のものは、前記多孔保護層が、極細グラデーション印刷により形成されていることを特徴とする請求項１から３のいずれかに記載のホログラムである。
【０００９】
請求項５に記載のものは、前記保護層が、反射粒としてアルミニューム粒を含んだインクを使用して網状印刷により形成されていることを特徴とする請求項１から３のいずれかに記載のホログラムである。
【００１０】
請求項６に記載のものは、前記ホログラム層を形成した支持基材の裏面側にＩＣタグを配置し、ホログラム層の上に形成した保護層の反射粒により前記ＩＣタグを隠蔽したことを特徴とする請求項１から５のいずれかに記載のホログラムである。
【００１１】
請求項７に記載のものは、支持基材に、溶剤を含まない紫外線硬化樹脂を塗布して塗布膜を形成する紫外線硬化樹脂塗布工程と、
前記塗布膜を形成した支持基材と、紫外線透過性を有してホログラム基体を構成するエンドレス状マスターフィルムとを圧着させてホログラム基体の超微細凹凸を塗布膜に転写する圧着工程と、
当該マスターフィルムに支持基材を付着した状態で、マスターフィルムを通して紫外線を照射して支持基材表面の塗布膜を硬化させる樹脂硬化工程と、
前記支持基材から前記マスターフィルムを剥離する剥離工程と、
剥離した支持基材の表面に形成された超微細凹凸からなるホログラム層上に、前記超微細凹凸の凹部内に入り込まない粒径の反射粒を含んだ保護層を形成する保護層形成工程と、
を含むことを特徴とするホログラムの製造方法である。
【発明の効果】
【００１２】
本発明によれば、ホログラムの表面に手の汗や油脂などの汚れが付着しても、この汚れは保護層に付着して、下のホログラム層に到達し難く、また、保護層を通して光がホログラム層に届き、その反射光が看者の目に届く。したがって、汚れが付着しても、ホログラム効果を維持し易く、消え難い。そして、ホログラム層の上に、保護層を形成するだけなので、構成が簡単であり、製造も容易である。このため、製造の装置も簡単で作業も容易であり、安価に提供することができる。
【発明を実施するための最良の形態】
【００１３】
以下、本発明を実施するための最良の形態を図面に基づいて説明する。なお、図１は、ホログラムの製造装置の概略構成を示す説明図である。
この製造装置１の実施形態は、ホログラム層２を形成する支持基材３として長尺なフィルムを使用し、当該フィルムの表面に塗布した紫外線硬化樹脂にホログラム用超微細凹凸４を転写してホログラム５とするものである。支持基材３としてのフィルムは装置の上流側に巻いたた状態で供給側スタンド６に保持されており、この供給側スタンド６から巻き戻された支持基材３は支持ローラ７に支えられて下流側の紫外線硬化樹脂塗布装置８に搬送される。なお、この支持ローラ７を始めとして、下流側に適宜配置した支持ローラ７あるいは支持板９等は全体として支持基材３搬送装置を構成しており、搬送途中には後述する樹脂塗布装置８と紫外線硬化装置１０と剥離装置１１と印刷装置１２が順次設けられており、最も下流端に、支持基材３を巻き取る巻き取りスタンド１３が配置されている。なお、支持基材３は、長尺フィルムに限定されるものではなく、シートや紙などでもよい。また、印刷装置１２は、ホログラム形成に関する一連の工程を連続して行う前記インラインに限らず、別個に行ういわゆるオフラインでもよい。
【００１４】
一方、ホログラム基体を構成するマスターフィルム１５がガイドローラ１６…で案内されてエンドレス状に張設してある。これらのガイドローラ１６…及び駆動ローラ１６′はマスターフィルム搬送装置を構成しており、マスターフィルム１５のガイドローラ１６による搬送途中には後述する硬化装置１０及び剥離装置１１が順次設けられている。なお、マスターフィルム１５は紫外線透過性を有する。また、本実施形態ではマスターフィルム１５をエンドレス状にして繰り返し使用できるように構成したが、ロール状に巻いたマスターフィルム１５を一方で巻き戻して使用し、使用したマスターフィルム１５は他方で巻き取る一方向使用方式でもよい。
【００１５】
上記ホログラム基体（マスターフィルム）１５は、図２に示すように、例えばポリエステルフィルム、あるいはポリプロピレンフィルム等の支持フィルム１５ａの表面（張設した際に外面となる方の面であり、図２中下面）に離型性樹脂層１５ｂを形成し、その表面に２５００オングストローム程度の超微細凹凸１７…を有するホログラム記録面を形成させたもので、このホログラム記録面を転写の版として利用するものである。なお、マスターフィルム１５は、プリントマスターとも呼ばれ、原版であるオリジナルマスターの量産用のコピーである。これは複数回繰り返し使用することができるが、ある程度の回数を繰り返し使用するとホログラム５面の微細凹凸が鈍化するので、新しいものと交換する。
【００１６】
上記した樹脂塗布装置８は、紫外線硬化樹脂の溶液を収容する槽２０と、槽２０内の紫外線硬化樹脂溶液を塗布ローラ２１の表面に均一に塗布するローラ２２などからなる。
【００１７】
なお、塗布ローラ２１は、表面にコーティングシート（コーティング版）を塗布ローラ２１の外周面から僅かに突出した状態で着脱可能に巻装して、ローラ２２により紫外線硬化樹脂をこのコーティングシート表面に塗布し、このコーティングシート表面の紫外線硬化樹脂を支持基材３に塗布するように構成すると、コーティングシートを所望する形状に切断すれば、支持基材３の所望する領域部分にだけ紫外線硬化樹脂を塗布して所望の塗布膜を部分的に形成することもできる。
【００１８】
また、上記した硬化装置１０は、マスターフィルム１５に接して当該マスターフィルム１５の搬送方向に対応して回転する上加圧ローラ２３ａと、上加圧ローラ２３ａの下方に設けられた下加圧ローラ２３ｂと、両加圧ローラ２３ａ，２３ｂの下流側に配置した紫外線照射装置１０´とからなり、両加圧ローラ２３ａ，２３ｂの間で搬送されてきたマスターフィルム１５と支持基材３を重ね合わせて挟圧する。したがって、表面に紫外線硬化樹脂塗布膜が形成された支持基材３が両加圧ローラ２３ａ，２３ｂ間を通過すると、この支持基材３は、紫外線硬化樹脂塗布膜にマスターフィルム１５のホログラム面（超微細凹凸１７）が転写されて密着し、この密着状態でマスターフィルム１５の移動に伴って搬送される。そして、紫外線照射装置１０´の紫外線ランプの下方を通過する際にマスターフィルム１５を通して紫外線の照射を受け、この紫外線照射によって支持基材３の紫外線硬化樹脂が硬化してホログラム層２となる。
【００１９】
なお、上加圧ローラ２３ａは、例えばガラスチューブなどの紫外線透過性のある材料で構成し、内部に紫外線照射装置１０´を設けて、挟圧と同時に紫外線照射を行うように構成してもよい。また、本実施形態では紫外線硬化樹脂を用いたが、光線等を照射して硬化する他の樹脂を塗布してホログラム用超微細凹凸を転写するように構成してもよい。
【００２０】
剥離装置１１は、マスターフィルム１５から支持基材３を離隔させることができればどのような構成でもよい。本実施例ではガイドローラ１６″によってマスターフィルム１５の移送方向を剥離方向に強制変換するとともに押さえローラ２４により支持基材３が引っ張られるのを押さえ、方向変換したマスターフィルム１５から剥離するように構成してある。なお、この剥離装置１１は、搬送されてきた支持基材３に外力を加える爪等を設け、該爪の力によって剥離させるように構成してもよいし、エアーを吹き付けて剥離させてもよい。
【００２１】
ここで、上記紫外線硬化樹脂としては、例えば、ポリビニルアルコール、アクリル／スチレン等といったアルカリ可溶性の樹脂が用いられ、溶剤を含まないものが最も望ましいが、溶剤を含有するものにあっては１０重量％以下、好ましくは５重量％以下に調整する。溶剤が１０重量％を超えると、支持基材３が紙である場合に浸透する量が多くなって、塗布量を多くしないと期待する光沢を得ることができないし、また、乾燥工程が必要となってしまう。なお、上記の様に溶剤を含まない、或は溶剤を１０重量％以下に調整した紫外線硬化樹脂は、実質的には溶剤を含まないので、一般に無溶剤系紫外線硬化樹脂と呼ばれており、本発明ではこの無溶剤系紫外線硬化樹脂を用いる。
【００２２】
これは、溶剤によってマスターフィルム１５が侵され、当該マスターフィルム１５に設けたホログラム面（離型性樹脂層１５ｂに形成した超微細凹凸１７の面）が損傷するのを防止するためと、後述するように支持基材３に対する樹脂の浸透を防止するためである。
【００２３】
このように、紫外線硬化樹脂が溶剤を実質的に含まない無溶剤系である場合は、マスターフィルム１５が損傷しないので、当該マスターフィルム１５をホログラム５の版として繰り返し使用可能である。また、樹脂が支持基材３に浸透しないので、塗布する量が少なくても十分な光沢を得ることができる。
【００２４】
次に、印刷装置１２について説明する。
この印刷装置１２は、図３（ｂ）（ｃ）に示すように、剥離した支持基材３の表面に転写で形成された超微細凹凸４のホログラム層２上に、ホログラム層２に光が真直ぐ到達可能な超微細空孔３０を有すると共に超微細空孔３０から外れた層内に前記超微細凹凸４の凹部内に入り込まない粒径の反射粒３１を含んだ保護層３２を形成するものである。
【００２５】
保護層３２は、例えば、反射粒３１として機能するアルミニュームの粒３１ａを含んだペーストを利用してインクを作製し、このインクでコーティングして層を形成したもので、この場合のアルミニューム粒３１ａは粒径４〜２０μｍ程度であって超微細凹凸４の凹部に入り込まない粒径に調整されている。そして、輝度を向性させるために、一般的には図３（ａ）に示すように、アルミニュームの粒子を潰して輝度（光沢の度合い）を高めるが、これは輝度を高める点では好適であるが、超微細空孔３０ができにくいためにホログラフィー効果が得難い。しかし、この場合でも光は潰れたアルミニュームを透過するので、ホログラフィー効果を得ることは可能であるが効果は低い。そこで、図３（ｂ）（ｃ）に示すように、粒３１ａを潰さずに、また、粒３１ａを配向させずに印刷コーティングすると、超微細空孔３０ができ易いためにホログラム効果が得易い。具体的には、図３（ｂ）に示すように、インク塗布率が１００％の印刷でも、粒３１ａ，３１ａ間に隙間ができ、この隙間が超微細空孔３０となって光を屈折させることなく真っ直ぐ通すので、外部からの光が超微細空孔３０を通って超微細凹凸４に到達し、ここで反射してから超微細空孔３０を通って看者の目に届き視認され、これによりホログラフィー効果を確保できる。なお、アルミニュームの粒３１ａが保護層３２の厚さのうちで表面に浮くようにインクの成分を調整すると、保護層３２の厚さの中でアルミニュームの粒３１ａが均等に分布している場合に比較して高い輝度を発揮できる。そして、図３（ｃ）に示すように、網状印刷すると、網目によって一層隙間が多くなって、すなわち、光を通す空孔が多くなって入射光と反射光の光量が増えてホログラフィー効果が確実に得られる。また、超微細空孔３０から外れたホログラム層２内に前記超微細凹凸４の凹部内に入り込まない粒径のアルミニューム粒３１ａが反射粒３１として存在するので、このアルミニューム粒３１ａによって光が反射してホログラフィー効果による輝きに明るさを増す。しかもアルミニューム粒３１ａは、ホログラム層２の超微細凹凸４の凹部に入り込まないので、ホログラフィー効果を起こす超微細凹凸４での光の反射の妨げにはならない。そして、アルミニューム粒はあまりペースト化せず、また、微細化しないので、さらには他の金属に比較して比重が小さくて塗布した場合に塗布膜（保護層）内で浮き易いので、光が通る超微細空孔３０を有する保護層３２の反射粒として好適である。
【００２６】
また、アルミニューム粒をりん片状とすると、塗膜形成時に平行して重なり合って塗面が金属面のごとく見えるリーフィング現象を起こすので、アルミニューム粒が浮かないノンリーフィングタイプとする方がホログラフィー効果を相対的に高めることができ、好ましい。
【００２７】
なお、反射粒３１は、アルミニューム粒３１ａに限定されるものではなく、光を反射する機能を備えた物質であればよい。例えば、銅、ニッケル、半透明金属化合物などでもよい。
【００２８】
斯かる保護層３２が印刷されていると、その表面を手で触って汗や油脂などの汚れが付着しても、この汚れはその殆どが保護層３２の表面に付着するだけであって、超微細凹凸４に到達しない。したがって、ホログラム５の表面に汚れが付着して輝度が低下したとしても、前記した通り、塞がれずに残った超微細空孔３０を通した光によってホログラフィー効果を得ることができるのである。
【００２９】
また、反射粒３１として顔料等を含む一般のインクを使用した印刷の場合、インク塗布率６０％以上の網状印刷とすると、顔料等が存在する部分が増大して超微細空孔３０となる隙間が減ってしまい、この超微細空孔３０では光が充分に通らないのでホログラフィー効果が薄れてしまう。そして、インク塗布率が４０％以下であればホログラフィー効果を得ることができる。一方、２０％以下にすると、反射粒同士の隙間（超微細空孔３０）が多すぎてしまい、手の汗や油脂が隙間を通って微細凹凸を埋めてしまい、保護効果がなくなってしまう。
【００３０】
これに対し、前記したように、アルミニューム粒３１ａを含んだインクを使用した場合、インク塗布率１００％であっても光がアルミニューム粒３１ａを透過するので、ホログラフィー効果を発揮する。そして、このインクで網状印刷により隙間を積極的に形成すると、網目の隙間を通る光により高いホログラフィー効果を実現することができる。
【００３１】
また、図４に示すように、前記したホログラム層２を形成した支持基材３の裏面側にＩＣタグ４０を配置すると、ホログラム層２の上に形成した保護層３２の反射粒３１、具体的にはアルミニューム粒３１ａによる光の反射で前記ＩＣタグ４０を隠蔽することができ、消費者等からＩＣタグ４０が直接視認し難くすることができる。したがって、ＩＣタグ４０を付したことによって商品の体裁を損ねるという不都合を解消することができる。なお、図４中、４１は包装箱等の基材（例えば、厚紙）である。
【００３２】
次に、上記のような構成のホログラム製造装置１を用いた本発明に係るホログラム５の製造方法を説明する。
まず、ホログラム基体としてのマスターフィルム１５はフィルム搬送装置によりガイドローラ１６…，上加圧ローラ２３ａで案内されながらエンドレス状に搬送される。
【００３３】
また、支持基材３としての長尺フィルムが供給され、支持ローラ７等の支持基材搬送装置によって搬送され、途中で樹脂塗布装置８の塗布ローラ２１を通過することにより無溶剤系紫外線硬化樹脂が塗布される。即ち、塗布ローラ２１の回転により、搬送される支持基材３の一方の表面に無溶剤系紫外線硬化樹脂を塗布する紫外線硬化樹脂塗布工程が行われる。この樹脂溶液の塗布に際してドクターローラ等の公知手段により塗布ローラ２１の塗布量が決定され、支持基材３（長尺フィルム）上には従来に比較して薄く且つ均一の厚さの塗布膜が形成される。
【００３４】
上記のようにして樹脂溶液の塗布膜が形成された支持基材３は、樹脂塗布装置８の下流側近傍に配置されている加圧ローラ２３ａ，２３ｂ間に搬送される。
【００３５】
一方、マスターフィルム１５はガイドローラ１６…で案内されながらエンドレス状に搬送され、上記支持基材３と共に上下の加圧ローラ２３ａ，２３ｂ間を通過し、当該マスターフィルム１５と支持基材３とが塗布膜を介して貼り合わされる圧着工程が行われる。
【００３６】
そして、紫外線硬化装置１０からの紫外線がマスターフィルム１５を通して支持基材３の表面に圧着された状態にある塗布膜に照射され、支持基材３表面の塗布膜を硬化させる樹脂硬化工程が行われる。このようにマスターフィルム１５と支持基材３が加圧ローラ２３ａ，２３ｂ間で挟圧されて塗布膜が支持基材３に圧着された直後に塗布膜を硬化させるので、支持基材３が紙であったとしても紫外線硬化樹脂は支持基材３にほとんど含浸されない。したがって、紫外線硬化樹脂の塗布量が少なくても、塗布膜にはマスターフィルム１５に形成したホログラム面（ホログラム用の超微細凹凸１７）が支持基材３の表面にホログラム層２として確実に転写される。
【００３７】
塗布膜にホログラム面（超微細凹凸１７）が転写されたホログラム層２となり、これが硬化した状態で支持基材３はマスターフィルム１５の下面に密着した状態で剥離装置１１へと搬送され、この剥離装置１１でマスターフィルム１５から剥離される。即ち、剥離装置１１で剥離工程が行われる。
【００３８】
剥離工程が終了すると、次に、印刷装置１２に搬送され、ホログラム層２の上に多孔保護層３２を形成する多孔保護層形成工程が行われる。この多孔保護層３２の印刷は、ホログラム層２に光が真直ぐ到達可能な超微細空孔３０を有すると共に超微細空孔３０から外れた層内に前記超微細凹凸４の凹部内に入り込まない粒径の反射粒３１を含んだ多孔保護層３２を形成することができればどのような印刷でもよい。例えば、グラビア、フレキソ、グラデーション、粗コーティングなどのアルミ印刷、オフセット、グラビア、フレキソ、スクリーンなどの極細グラデーション印刷、アルミニューム粉入りインクによる網状印刷などを適宜に選択することができる。
【００３９】
上記のようにしてホログラム層２が形成され、その上に多孔保護層３２が形成された支持基材３は、支持基材搬送装置の最終段階を構成している巻き取りスタンド１３でログ状に巻き取られる。そして、所定の大きさのロールに巻き取られたならば、巻き取りスタンド１３から取り外されて貯留場所に搬送されて貯留される。
【００４０】
なお、上記した実施形態では、塗布ローラ２１を備えた樹脂塗布装置８を示したが、この樹脂塗布装置８は支持基材３の表面に紫外線硬化樹脂を所定の厚さで均一に塗布することができればよく、例えば、紫外線硬化樹脂塗料をスプレーで吹き付けて塗布する形式、グラビア、フレキソ、バーコーターなどでもよい。
【００４１】
また、図示した実施形態では、支持基材３に長尺な連続フィルムを用いたが、本発明は枚葉紙でもよい。なお、紫外線硬化樹脂を塗布した後に加熱乾燥しないので、プラスチックシートを支持基材３として使用しても、プラスチックシートの縮みを防止できる。
【図面の簡単な説明】
【００４２】
【図１】ホログラムの製造装置の概略構成説明図である。
【図２】（ａ）はマスターフィルムの断面図、（ｂ）はホログラムの断面図である。
【図３】（ａ）はアルミニュームの粒子を潰して輝度を高め多孔保護層を形成したホログラムの断面図、（ｂ）はアルミニューム粒を含むインクでベタに多孔保護層を形成したホログラムの断面図、（ｃ）はアルミニューム粒を含むインクで網状印刷により多孔保護層を形成したホログラムの断面図である。
【図４】ＩＣタグを隠蔽したホログラムの断面図である。
【符号の説明】
【００４３】
１  ホログラムの製造装置
２  ホログラム層
３  支持基材
４  ホログラムの超微細凹凸
５  ホログラム
６  供給側スタンド
７  支持ローラ
８  樹脂塗布装置
９  支持板
１０  硬化装置
１１  剥離装置
１２  印刷装置
１３  巻き取りスタンド
１５  マスターフィルム
１６  ガイドローラ
１７  マスターフィルムの超微細凹凸
２０  槽
２１  塗布ローラ
２２  ローラ
２３  加圧ローラ
２４  押さえローラ
３０  超微細空孔
３１  反射粒
３１ａ  アルミニューム粒
３２  多孔保護層
４０  ＩＣタグ
４１  基材
【図１】
0004942685.tif 000002
【図２】
0004942685.tif 000003
【図３】
0004942685.tif 000004
【図４】
0004942685.tif 000005